(57)【要約】【課題】携帯電話機等の携帯型情報記録再生装置における追加機能で、携帯型情報記録再生装置の電子決済機能と、音楽配信技術を融合させた、ユーザや広告情報を提供する広告主によりメリットがある広告情報を利用する情報記録再生装置、情報記録再生システム、情報記録再生方法、及び情報記録再生プログラムを提供することにある。【解決手段】記録された広告情報およびデジタルコンテンツを再生する情報記録再生装置において、前記デジタルコンテンツを再生中または再生後に前記広告情報を再生する再生手段と、前記広告情報が再生された情報に基づいてユーザに対するあらかじめ定められた特典情報を記録する特典情報記録手段とを備える。【選択図】図６
2008204261.tif 000002
【特許請求の範囲】
【請求項１】
記録された広告情報およびデジタルコンテンツを再生する情報記録再生装置において、
前記デジタルコンテンツを再生中または再生後に前記広告情報を再生する再生手段と、
前記広告情報が再生された場合に、ユーザに対するあらかじめ定められた特典情報を記録する特典情報記録手段と、
を備えることを特徴とする情報記録再生装置。
【請求項２】
請求項１に記載の情報記録再生装置において、
前記広告情報の種類を判別する判別手段と、
前記判別手段によって判別された前記広告情報の種類毎に前記広告情報が再生された回数を記録する広告種類別再生回数記録手段と、
前記広告情報の種類毎に、前記広告情報が再生された回数に基づいて前記ユーザに対する前記特典情報を記録する広告種類別特典情報記録手段と、
をさらに備えることを特徴とする情報記録再生装置。
【請求項３】
請求項１または２に記載の情報記録再生装置において、
前記広告情報の少なくとも一つには、前記情報記録再生装置が前記広告情報を再生することが可能な期間としての広告情報再生期間が設けられていることを特徴とする情報記録再生装置。
【請求項４】
請求項３に記載の情報記録再生装置において、
前記特典情報記録手段または前記広告種類別特典情報記録手段は、前記広告情報再生期間が短い前記広告情報が再生された場合に、より付加価値の高い特典情報を記録することを特徴とする情報記録再生装置。
【請求項５】
請求項３に記載の情報記録再生装置において、
特典情報記録手段または前記広告種類別特典情報記録手段は、前記広告情報再生期間におけるあらかじめ定められた期間内に前記広告情報が再生された場合に、より付加価値の高い特典情報を記録することを特徴とする情報記録再生装置。
【請求項６】
請求項１乃至５の何れか一項に記載の情報記録再生装置において、
前記特典情報には、店舗において商品を購入する場合のポイント情報、若しくは金銭情報、またはインターネットにおいて商品を購入する場合のポイント情報、若しくは金銭情報のいずれか一つが含まれることを特徴とする情報記録再生装置。
【請求項７】
請求項１乃至４のいずれか一項に記載の情報記録再生装置において、
前記広告情報は、広告情報提供者が前記広告情報に対して支払う対価の額の大きさ、前記情報記録再生装置を所有するユーザの嗜好、または前記情報記録再生装置を所有するユーザの商品購買履歴の少なくともいずれか一つに基づいて優先的に再生されることを特徴とする情報記録再生装置。
【請求項８】
請求項１乃至７のいずれか一項に記載の情報記録再生装置と、
前記情報記録再生装置に対して、前記広告情報を外部から供給する広告情報供給手段と、
前記特典情報記録手段または前記広告種類別特典情報記録手段に記録された前記特典情報に基づいて、商品の電子決済を行なう電子決済手段と、
を備えることを特徴とする情報記録再生システム。
【請求項９】
記録された広告情報およびデジタルコンテンツを再生する情報記録再生方法において、
前記デジタルコンテンツを再生中または再生後に前記広告情報を再生する再生工程と、
前記広告情報が再生された場合に、ユーザに対するあらかじめ定められた特典情報を記録する特典情報記録工程と、
を備えることを特徴とする情報記録再生方法。
【請求項１０】
記録された広告情報およびデジタルコンテンツを再生する情報記録再生装置に含まれるコンピュータを、
前記デジタルコンテンツを再生中または再生後に前記広告情報を再生する再生手段、
前記広告情報が再生された場合に、ユーザに対するあらかじめ定められた特典情報を記録する特典情報記録手段、
として機能させることを特徴とする情報記録再生プログラム。
【発明の詳細な説明】
【技術分野】
【０００１】
本発明は、広告情報の利用に関する情報記録再生装置等の技術分野に関する。
【背景技術】
【０００２】
近年、情報処理や情報通信などの技術の飛躍的な進歩とも相俟って、コンピュータ等の電子情報機器間を相互接続するネットワーク・コンピューティング技術に対する要望も高まってきている。ネットワーク上では、遠隔地のユーザどうしで、コンピュータ資源を共有し、情報の共有・流通・配布・交換などの協働的作業を円滑に行なうことができる。
【０００３】
コンピュータ等の電子情報機器間を相互接続するネットワークの形態はさまざまである。例えば、Ｅｔｈｅｒｎｅｔ（登録商標）のような局所に敷設されたＬＡＮ（Ｌｏｃａｌ Ａｒｅａ Ｎｅｔｗｏｒｋ）や、ＬＡＮどうしを専用線などで相互接続して構成されるＷＡＮ（Ｗｉｄｅ Ａｒｅａ Ｎｅｔｗｏｒｋ） 、さらには、ネットワークどうしの相互接続を繰り返し行った結果として文字通り世界規模のネットワークへ成長を遂げた「インターネット」（Ｉｎｔｅｒｎｅｔ）などさまざまなネットワークの形態がある。
【０００４】
「インターネット」は、サーバが自主的に相互接続を繰り返した結果、巨大ネットワークへと成長するに至った、字義通り、ネットワークのネットワークである。現在、インターネット上には無数のサーバが接続されており、各サーバは、各種の資源オブジェクトを無数のクライアントに公開している。インターネット上のホスト装置どうしは、通常、ＴＣＰ／ＩＰ（ Ｔｒａｎｓｍｉｓｓｉｏｎ Ｃｏｎｔｒｏｌ Ｐｒｏｔｏｃｏｌ／Ｉｎｔｅｒｎｅｔ Ｐｒｏｔｏｃｏｌ） ベースで相互接続されている。
【０００５】
インターネット上では、ＷＷＷ（Ｗｏｒｌｄ Ｗｉｄｅ Ｗｅｂ） 、Ｎｅｗｓ 、ＴＥＬＮＥＴ（ＴＥＬｅｔｙｐｅｗｒｉｔｅｒＮＥＴｗｏｒｋ） 、ＦＴＰ（Ｆｉｌｅ Ｔ ｒａｎｓｆｅｒ Ｐｒｏｔｏｃｏｌ） 、Ｇｏｐｈｅｒ など、多数のサービスが公開されている。
【０００６】
このうち、ＷＷＷ は、ハイパーリンク構造の情報空間を提供する広域情報検索システムであり、インターネットの爆発的な成長や急速な普及を遂げる最大の要因ともなっている。ＷＷＷは、テキスト、画像、音声などの各種メディアをハイパーテキスト形式で閲覧することができる広域情報検索システムである。また、画像、音声などの各種メディアをＷＷＷに接続された電子情報機器へダウンロードすることができ、ユーザはダウンロードされた画像、音声などの各種情報を電子情報機器から視聴することが可能となっている。
【０００７】
このように、インターネット等のネットワークを介して上記コンテンツを蓄積しているサーバ等に端末装置からアクセスし、その端末装置において視聴が所望されているコンテンツを当該端末装置に配信して視聴する、いわゆるコンテンツ配信を行う配信システムについての研究開発が盛んである。
【０００８】
このコンテンツ配信システムの一例として通信型カラオケシステムがある。この通信型カラオケシステムにおいて、カラオケ楽曲情報に関連する商品の広告情報をカラオケ楽曲の曲間に挿入する例として、例えば、以下の特許文献１に記載されたものがある。
【０００９】
一方、商品を購入する場合には、一般に商品の実物またはカタログ等の広告情報を視聴して商品の選択を行い、現金と引き換えで商品を入手していた。ところが、近年銀行等で信用供与を受けることにより代金決済を行うカードまたは携帯電話機等による電子決済システムの使用が増えてきている。
【特許文献１】特許第３４１７７０７号公報
【発明の開示】
【発明が解決しようとする課題】
【００１０】
しかし、インターネット等のネットワークを介して電子情報機器にダウンロードされる商品に関する広告情報と電子決済システムとに連動性はなく、電子情報機器にダウンロードされる商品に関する広告情報が消費者に与えるインセンティブは十分とはいえない状況であった。
【００１１】
そこで、本発明は上記の問題点に鑑みて為されたもので、その目的の一例は、携帯電話機等の携帯型情報記録再生装置における追加機能で、携帯型情報記録再生装置の電子決済機能と、音楽を含むデジタルコンテンツ配信技術を融合させた、ユーザや広告情報を提供する広告主によりメリットがある広告情報を利用する情報記録再生装置、情報記録再生システム、情報記録再生方法、及び情報記録再生プログラムを提供することにある。
【課題を解決するための手段】
【００１２】
上記課題を解決するために、請求項１に記載の発明は、記録された広告情報およびデジタルコンテンツを再生する情報記録再生装置において、前記デジタルコンテンツを再生中または再生後に前記広告情報を再生する再生手段と、前記広告情報が再生された情報に基づいてユーザに対するあらかじめ定められた特典情報を記録する特典情報記録手段とを備えることを特徴とする。
【００１３】
この発明によれば、電子情報機器に記録された楽曲情報デジタルコンテンツ（一例として楽曲情報を含む）を再生しながら広告情報を聴き、若しくは見ること、またはデジタルコンテンツを再生しながら広告情報を聴き、若しくは見ることにより、広告情報に関連した商品を購入する際の特典情報が記録される。
【００１４】
したがって、電子情報機器ユーザが広告情報を聴きまたは見ることによって、広告情報に関連した商品を購入する際の特典情報が加算記録されることになるので、ユーザに積極的に広告情報を聴こうとするモチベーションが発生することになる。
【００１５】
上記課題を解決するために、請求項２に記載の発明は、請求項１に記載の情報記録再生装置において、前記広告情報の種類を判別する判別手段と、前記判別手段によって判別された前記広告情報の種類毎に前記広告情報が再生された回数を記録する広告種類別再生回数記録手段と、前記広告情報の種類毎に、前記広告情報が再生された回数に基づいて前記ユーザに対する前記特典情報を記録する広告種類別特典情報記録手段と、をさらに備えることを特徴とする。
【００１６】
この発明によれば、ユーザは再生頻度の高い種類の広告情報に関連した商品について特化して、その商品を購入する場合の特典情報を得られるので、効率よく広告情報を聴きまたは見ることができる。また広告情報提供者は、広告情報を広告情報に関連した商品を購入しようとするユーザに対して効率よく提供することが可能となる。
【００１７】
上記課題を解決するために、請求項３に記載の発明は、請求項１または２に記載の情報記録再生装置において、前記広告情報の少なくとも一つには、前記情報記録再生装置が前記広告情報を再生することが可能な期間としての広告情報再生期間が設けられていることを特徴とする。
【００１８】
この発明によれば、広告情報を提供する広告情報提供者は商品の販促活動に必要な期間だけに限って広告情報を提供することができるので、広告情報を効率的に情報記録再生装置のユーザに提供することができる。また、広告情報を提供する広告情報提供者にとって、ユーザに対して商品に関する広告情報に対する注目度を向上させることができる。
【００１９】
上記課題を解決するために、請求項４に記載の発明は、請求項３に記載の情報記録再生装置において、前記特典情報記録手段または前記広告種類別特典情報記録手段は、前記広告情報再生期間が短い前記広告情報が再生された場合に、より付加価値の高い特典情報を記録することを特徴とする。
【００２０】
この発明によれば、情報記録再生装置のユーザにとって、最新の広告情報を聴きまたは見ることによって、情報記録再生装置に記録された特典情報に基づき新製品等の商品をお得に購入することができる。また、広告情報を提供する広告情報提供者にとって、ユーザに対して商品に関する広告情報に対する注目度を一層向上させることができる。
【００２１】
上記課題を解決するために、請求項５に記載の発明は、請求項３に記載の情報記録再生装置において、特典情報記録手段または前記広告種類別特典情報記録手段は、前記広告情報再生期間におけるあらかじめ定められた期間内に前記広告情報が再生された場合に、より付加価値の高い特典情報を記録することを特徴とする。
【００２２】
この発明によれば、広告情報を提供する広告情報提供者は商品の特売等のセールスなどを行なう場合に、セールス等の特定の期間に広告情報を聴きまたは見たユーザに対して特典情報を、通常の販売時期に比較してより多く加算することができる。例えば、特典情報として、割引額や割引率等の割引情報を大きくすることで、ユーザに商品の広告情報をより多く聴きまたは見ようとするインセンティブを与えることができる。
【００２３】
上記課題を解決するために、請求項６に記載の発明は、請求項１乃至５の何れか一項に記載の情報記録再生装置において、前記特典情報には、店舗において商品を購入する場合のポイント情報、若しくは金銭情報、またはインターネットにおいて商品を購入する場合のポイント情報、若しくは金銭情報のいずれか一つが含まれることを特徴とする。
【００２４】
この発明によれば、広告情報を聴きまたは見たユーザにとって、情報記録再生装置を利用して、広告情報に関連した商品を購入する場合に、商品の割引に関連するポイント情報、または、商品の金銭的な割引情報が電子決済時に使用されるので、お得な（割安な）買い物をすることができるようになる。また、広告情報を聴きまたは見たユーザにとって、情報記録再生装置を利用して、有線または無線を利用した情報通信回線において広告情報に関連した商品を購入する場合に、商品の割引に関連するポイント情報、または商品の金銭的な割引情報が電子決済時に使用されるので、お得な（割安な）買い物をすることができるようになる。
【００２５】
上記課題を解決するために、請求項７に記載の発明は、請求項１乃至４のいずれか一項に記載の情報記録再生装置において、前記広告情報は、広告情報提供者が前記広告情報に対して支払う対価の額、前記情報記録再生装置を所有するユーザの嗜好、または前記情報記録再生装置を所有するユーザの商品購買履歴の少なくともいずれか一つに基づいて優先的に再生されることを特徴とする。
【００２６】
この発明によれば、情報記録再生装置において再生される広告情報の優先順位を広告情報提供者が制御することができるので、広告情報提供者にとってユーザに対して効果的に広告情報を提供することができる。また、情報記録再生装置を所有するユーザにとっても、ユーザの嗜好に合った広告情報を優先的に聴きまたは見ることができるので、ストレスを感じることがなく、効率的に広告情報を聴きまたは見ることができる。さらに、ユーザが以前に購入した商品に関連した広告情報を、情報記録再生装置が優先的に再生するので、ユーザが関心のある広告情報を効率的に聴きまたは見ることができる。
【００２７】
上記課題を解決するために、請求項８に記載の発明は、請求項１乃至７のいずれか一項に記載の情報記録再生装置と、前記情報記録再生装置に対して、前記広告情報を外部から供給する広告情報供給手段と、前記特典情報記録手段または前記広告種類別特典情報記録手段に記録された前記特典情報に基づいて、商品の電子決済を行なう電子決済手段とを備えることを特徴とする。
【００２８】
この発明によれば、情報記録再生装置に記録された広告情報を再生することと、電子決済手段との間に連動性があるので、ユーザや広告情報提供者にとって、広告情報の再生と提供を介して、商品の売買に双方に利益があるシステムを構成することが可能となった。
【発明の効果】
【００２９】
本発明によれば、携帯電話機等の携帯型情報記録再生装置における追加機能で、携帯型情報記録再生装置の電子決済機能と、音楽配信技術を融合させた、ユーザや広告情報を提供する広告主によりメリットがある広告情報を利用する情報記録再生装置等を提供することができる。
【発明を実施するための最良の形態】
【００３０】
以下、本発明の最良の実施形態を図面に基づいて説明する。なお、以下に説明する実施の形態は、情報記録再生装置として携帯電話機を使用した場合に対して本発明を適用した場合の実施形態である。しかし、本発明の情報処理装置は、有線または無線による電子通信回線を通じて情報をダウンロードできる全ての電子情報機器に対して適用することが可能である。
【００３１】
［１．システム構成の一例］
図１は、本発明のシステム構成の構成例（一実施形態）を示すブロック図である。図１のブロック図では、情報記録再生装置として携帯情報端末装置９（携帯電話機を含む）を使用した場合を示す。
【００３２】
システム１は、楽曲情報を含むデジタルコンテンツ供給サーバ装置２、広告情報供給手段としての広告情報供給サーバ装置３、電子決済供給サーバ装置４、ネットワーク５、楽曲情報を含むデジタルコンテンツ供給装置６、広告情報供給手段としての広告情報供給装置７、電子決済手段としての電子決済装置８、および再生手段、特典情報記録手段、判別手段、広告種類別再生回数記録手段、広告種類別特典情報記録手段を含む情報記録再生装置としての携帯情報端末装置９とを含む構成となっている。
【００３３】
デジタルコンテンツ供給サーバ装置２は、ネットワーク５およびデジタルコンテンツ供給装置６を介して携帯情報端末装置９へデジタルコンテンツを供給する。ユーザは、有料または無料にて、携帯情報端末装置９の操作部を操作することにより、デジタルコンテンツをデジタルコンテンツ供給装置６およびネットワーク５を介してデジタルコンテンツ供給サーバ装置２からダウンロードする。詳細は後述する。
【００３４】
広告情報供給サーバ装置３は、ネットワーク５および広告情報供給装置７を介して携帯情報端末装置９へ広告情報を供給する。ユーザは、無料にて、携帯情報端末装置９の操作部を操作することにより、広告情報を広告情報供給装置７およびネットワーク５を介して広告情報供給サーバ装置３からダウンロードする。詳細は後述する。
【００３５】
電子決済サーバ装置４は、ネットワーク５および電子決済装置８を介して携帯情報端末装置９を用いてユーザが商品を購入する場合の電子決済を制御する。
【００３６】
ネットワーク５は従来技術で説明した、インターネット等の通信網を使用する。
【００３７】
デジタルコンテンツ供給装置６は、携帯情報端末装置９として携帯電話機を使用した場合には携帯電話網の基地局に該当する。また、携帯情報端末装置９としてポータブルミュージックプレイヤー等のプレイヤー（画像を受信して再生できるプレイヤーを含む）を使用した場合には、デジタルコンテンツ供給装置６は、ネットワーク５に接続されたパソコン等の電子情報機器が該当する。また、デジタルコンテンツ供給装置６は、デジタルコンテンツ供給会社が設置する様々なデジタルコンテンツダウンロード用端末装置である電子情報機器に該当する。
【００３８】
広告情報供給装置７は、有線または無線にて、携帯情報端末装置９に広告情報を供給する。ユーザは、広告情報を広告情報供給装置７としての無線ＬＡＮスポット、無線スポット（ホットスポット）等から、ネットワーク５を介して広告情報供給サーバ装置３から無料にてダウンロードする。無線ＬＡＮスポット、無線スポットは、ショッピングモール等の店舗付近に設けることが多いが特に設置場所が限定されるわけではない。また、携帯情報端末装置９と広告情報供給装置７との通信は無線に限定されるわけではなく、有線で広告情報の送受信を行なうこともできる。さらに、ユーザは、外出した先で広告情報をダウンロードする必要はない。例えば、ユーザが在宅している間に、広告情報供給装置７としての基地局等の電子情報機器から広告情報をあらかじめ携帯情報端末装置９へダウンロードするようにしてもよい。
【００３９】
電子決済装置８は、ユーザが商品を購入しようとする場合に、ネットワーク５を介して電子決済サーバ装置４にユーザが購入しようとしている商品の価格情報を問い合わせる。また、電子決済装置８は、ユーザが購入しようとしている商品に関連した（ユーザが購入しようとしている商品と同一の場合を含む）特典情報が携帯情報端末装置９に記録されているか否かを携帯情報端末装置９に問い合わせる。電子決済装置８が、携帯情報端末装置９に特典情報が記録されていると判断した場合には、携帯情報端末装置９から特典情報を電子決済装置８にダウンロードする。
【００４０】
電子決済装置８は、商品と携帯情報端末装置９において再生された広告情報に基づく特典情報とから、ユーザが支払うべき金銭を決定する（電子決済装置８は、電子決済サーバ装置４に記録されている商品価格からユーザが支払うべき金銭を変更する。）。
【００４１】
上記のシステム構成では、商品の価格情報が電子決済サーバ装置４に記録されている場合について説明したが本願はこの場合に限定されるわけではなく、商品の価格情報は電子決済装置８に記録されていてもよい。この場合には、電子決済装置８は、電子決済装置８に記録されている商品価格と携帯情報端末装置９において再生された広告情報に基づく特典情報とから、ユーザが支払うべき金銭を決定する。またこの場合には、電子決済サーバ装置４が存在しないシステム構成も可能である。
【００４２】
また、上記のシステム構成では、携帯情報端末装置９に記録されている特典情報に基づいて、電子決済装置８が商品価格の変更を行なっているが、電子決済装置８が、携帯情報端末装置９に記録されている再生された広告情報、広告情報が再生された年月日、または広告情報が再生された回数に基づいて、商品価格の変更を行なう構成にすることもできる。
【００４３】
［２．情報記録再生装置の一例］
図２は、携帯情報端末装置９としての携帯電話機の内部構成を示すブロック図である。図２のブロック図では、携帯電話機は各種制御を行う制御部１２に携帯電話機の様々な機能に係る処理を行う各部１３、１４ ・・・を内部バス２３で接続した構成を示している。内部バス２３に接続されているものには、通信部１３、表示処理部１４、位置検出部１５、撮像処理部１６、非接触ＩＣ１７、音入力部１８、音出力部１９、振動発生部２０、記憶部２１、操作部１０、及び電源制御部２２ が含まれる。以下、上述した各部について説明する。
【００４４】
制御部１２は、携帯電話機が具備する機能を作動させる場合に各部１３、１４・・・の制御を行い、携帯電話機の通話機能、通信機能、及び表示機能等に対する制御処理を行うものである。制御部１２が行う処理内容は記憶部２１に記憶されたプログラム３３に規定されており、制御部１２はプラグラム３３に基づき所定の処理を行う。また、制御部１２は、クロック部１２ａを内蔵しており、日時を認識する（時間を計る）。なお、制御部１２が行う処理の詳細は後述する。
【００４５】
通信部１３は、アンテナ２５と接続されておりアンテナ２５ を介してデジタルコンテンツ、広告情報、及びその他の通信情報の送受信を行う。表示処理部１４は、モニタ部２４と接続されており、モニタ部２４で表示する内容を調整する処理を行う。
【００４６】
位置検出部１５は、ＧＰＳ（Global Positioning System）を利用して図示しない人工衛星より携帯電話機の位置検出を行い、検出した位置を制御部１２へ伝送する。撮像処理部１６は、ＣＣＤ２８と接続されておりＣＣＤ２８が撮像した内容（画像）に対する処理を行う。
【００４７】
非接触ＩＣ１７は、入出金や決済等にかかる貨幣価値を示す電子マネーデータ等の情報を書き換え可能なメモリ（図示せず）を有し、これらの情報を制御部１２へ内部バス２３を介して転送する機能を備えている。そして、この非接触ＩＣ１７は、携帯電話機からの特定の電子マネーの電子決済処理要求を受付及び実行することができる電子マネーチャージ機等の電子決済装置８との間で、メモリに記憶された電子マネーデータを電磁波等の無線によって離れたまま送受信できるようになされている。
【００４８】
電子マネーは、携帯電話機の非接触ＩＣ１７が現金や預金の前払いと引換えに取得する電子的なデータで、このデータにより、携帯電話機を用いて通常の貨幣のように商品を購入したり、サービスを受けたりすることができる。
【００４９】
音入力部１８は、マイク２６と接続されておりマイク６で集音した音声等の音情報を通信部１３へ送る処理を行う。
【００５０】
音出力部１９は、スピーカ２７と接続されており、制御部１２の制御に基づきアンテナ２５および通信部１３を介して、記憶部に記憶されたデジタルコンテンツ３０および広告情報３１をスピーカ２７から出力する。また、音出力部１９にはイヤホン等の延長コード付きのスピーカを接続することもできる。なお、出力部１９は操作部１０から入力される指示に基づいてスピーカ２７から出力する音量を制御することが可能である。振動発生部２０はマナーモードの場合、制御部１２の制御に基づき着信に対して振動を発生するものである。
【００５１】
また、操作部１０は内部バス２３に接続されることで、ユーザから受け付けた操作指示の内容を内部バス２３で制御部１２へ伝送している。さらに、電源制御部２２は、バッテリ１１と接続されており、バッテリ１１に蓄えられた電力の供給及び供給遮断を制御する。なお、図２中には示していないが、電源制御部２２から上述した各部１２、１３等へ繋がる給電線が存在しており、この給電線を通じてバッテリ１１の電力が各部１２、１３等へ供給される。また、電源制御部２２は、制御部１２の制御に基づき電力の供給を遮断して電源入りの状態から電源切りの状態へ切り替える処理を行う。
【００５２】
記憶部２１は、様々な情報及びプログラムを記憶する記憶媒体である。記憶部２１が記憶する内容には、アンテナ２５および通信部１３を介して受信されるデジタルコンテンツ（一例として楽曲情報）３０ａ〜３０ｎ（ｎは任意のアルファベットであって、ａ〜ｎは異なるデジタルコンテンツを区分するために用いられる。各デジタルコンテンツには一つのデジタルコンテンツ（楽曲情報の場合には一つの楽曲）が記憶されている。）、アンテナ２５および通信部１３を介して受信される広告情報３１ａ〜３１ｎ（ｎは任意のアルファベットであって、ａ〜ｎは異なる広告情報を区分するために用いられる。各広告情報には一つの広告が記憶されている。）、制御部１２によって再生された広告情報３０に基づいて制御部１２が作成した特典情報３２ａ〜３２ｎ（ｎは任意のアルファベットであって、ａ〜ｎは異なる特典情報を区分するために用いられる。）、および携帯電話機を制御するためのプログラム３３が記憶されている。
【００５３】
デジタルコンテンツ３０は、ユーザが携帯電話機の操作部５を操作することによって、ユーザの好みの楽曲（例えば、クラシック、ポップス等の楽曲）を選曲することにより、アンテナ２５および通信部１３を介して、記憶部２１に記憶される。
【００５４】
デジタルコンテンツ３０には、楽曲、映像、アーティスト名、楽曲演奏時間、映像再生時間、デジタルコンテンツがダウンロードされた日時、楽曲・映像等のデジタルコンテンツの配信者等の情報が含まれる。
【００５５】
広告情報３１には、広告、広告が対象としている商品情報、広告再生時間、広告を再生することができる再生期間、広告情報がダウンロードされた日時、広告情報の提供者等の情報が含まれる。
【００５６】
次に、図３に特典情報３２のデータ構成の一例を示す。
【００５７】
一例としての特典情報３２ａのデータには、携帯電話機で再生される広告情報３２ａ１、広告情報が再生された年月日３２ａ２、広告情報が再生された回数３２ａ３、その他の特典情報３２ａ４（クーポン、ポイント、マイレージ、トレーディング・スタンプなどで、その内容としては店舗や提携する他の店舗で商品等の利用料金の割引情報（割引券を含む）や金銭・商品・サービス等との交換情報、ＶＩＰ会員としての優遇情報、など様々な情報がある）が含まれる。また、特典情報３２は、店舗での電子決済に使用されるだけではなく、インターネット等のＷｅｂにおいて商品の購入をする場合にも、携帯情報装置９を介して利用することができる。
【００５８】
なお特典情報のデータは、広告情報毎に作成されており、図２で図示されたように広告情報毎に特典情報３２ａ〜３２ｎ（ｎは任意のアルファベットであって、ｎ個の特典情報がある。）として携帯電話機の記憶部９に記憶される。
【００５９】
特典情報３２は、携帯電話機においてユーザが操作部１０を操作することによってユーザが視聴したデジタルコンテンツ３０とともに、もしくはデジタルコンテンツの終了後に再生された広告情報３１をユーザが聴くことによって、携帯電話機の制御部１２によって作成される。
【００６０】
例えば、ユーザが聴いた広告情報３１が、広告情報３１に関連した商品の特売期間などの販促期間に該当する場合には、その他の特典情報３２ａ４には、販促期間外にユーザが広告情報３１を聴く場合に比較して、より多くのその他の特典情報３２ａ４が記憶される。
【００６１】
具体的に、より多くのその他の特典情報３２ａ４が記憶されるとは、特典情報としてのポイントの増加幅が広告情報に関連した商品の販促期間外に比べて大きくなり、商品の割引率が大きくなり、キャッシュバックの額が大きくなり、またはＷｅｂでの商品購入時における利用ポイントが大きくなるなどの特典情報が記憶されることを意味する。
【００６２】
また、ユーザが聴いた広告の回数が多いほど、その広告に関するその他の特典情報３２ａ４にはより多くの特典情報が記憶される。
【００６３】
なお、ユーザが広告情報３１を途中で聴くことを中止した場合、および広告情報３１を聴くことをスキップした場合には、特典情報３２は作成または更新（広告情報が再生された年月日３２ａ２の更新、広告情報が再生された回数３２ａ３、およびその他特典情報３２ａ４の更新）されることはない。
【００６４】
次に図４を用いて、携帯電話機において、デジタルコンテンツ３０の一例としての楽曲情報と広告情報３１とが再生されるタイミングの一例について説明する。
【００６５】
時刻Ｔ１において、ユーザが操作部１０を操作してユーザの好みの曲である楽曲情報３０ａに記憶されている楽曲１の再生を携帯電話機に指示すると、携帯電話機の制御部１２は、記憶部２１に記憶されている楽曲情報３０ａに記憶されている楽曲１を再生し始める。楽曲１は時刻Ｔ１から時刻Ｔ２までの間、制御部１２によって再生される。楽曲１の再生後に広告情報３１ａに記憶されている広告Ａが制御部１２によって再生される。広告Ａの再生は図４においては時刻Ｔ２から開始している。
【００６６】
しかし、本願は楽曲の再生終了と同時に広告の再生が開始される場合に限定されるわけではなく、楽曲の再生が終了する前に、楽曲の再生中に広告の再生を開始してもよい。また、楽曲の終了後にポーズ等の所定時間の経過後に広告の再生を開始してもよい。
【００６７】
広告Ａの再生が時刻Ｔ３において終了すると、次の楽曲である楽曲情報３０ｂに記憶されている楽曲２の再生が開始される。前述したように、本願は広告の再生終了と同時に楽曲の再生が開始される場合に限定されるわけではなく、広告の再生が終了する前に、広告の再生中に楽曲の再生を開始してもよい。また、広告の終了後にポーズ等の所定時間の経過後に広告の再生を開始してもよい。
【００６８】
再生された楽曲（例えば楽曲１）の次に再生される楽曲（例えば楽曲２）は、ユーザが操作部１０を操作して選択してもよいが、あらかじめユーザが定めた順番または制御部１２がプログラム３３に記憶されたあらかじめ定められた順番に従って再生される。例えば、プログラム３３には、楽曲を再生するにあたり、ダウンロードされた楽曲の順番に再生、特定の歌手に関わる楽曲の発表順に再生、または最新のヒットチャートの順番、ユーザが再生した回数が多い楽曲の順番に再生するプログラムが組み込まれている。
【００６９】
このようにして図４に示される楽曲２並びに楽曲３、および広告Ｂ並びに広告Ｃが再生される。
【００７０】
図４においては、一つの楽曲の再生と一つの広告の再生とが交互に繰り返されているが本願はこの実施例に限定されるわけではなく、一つの楽曲の再生中または再生後に複数の広告を再生する構成とすることもできる。また、複数の楽曲の連続再生中または再生後に一つ以上の広告を再生する構成とすることもできる。
【００７１】
次に、広告が再生される順番について説明する。広告は、様々な方法で決定される。
【００７２】
例えば、広告情報を提供する広告主が広告情報に対して支払う対価の額（広告費）の大きさの順番に優先順位が定められ、広告情報が再生される。広告の再生に対する優先順位付けは、広告情報供給サーバ装置３、広告情報供給装置４、または携帯電話機の制御部１２が行なう。携帯電話機の制御部１２が再生される広告の優先順位を定める場合には、再生されるべき広告に対応する広告情報３１を参照して、広告に支払われている対価額の大きさの順番に優先順位を付ける。
【００７３】
広告Ａに支払われている広告費が一番高く、広告Ｂに支払われている広告費が二番目に高く、広告Ｃに支払われている広告費が三番目に高い場合には図３のように、広告Ａ、広告Ｂ、広告Ｃの順番に広告が再生される。
【００７４】
また、広告情報３１に記憶されている広告の再生有効期限日が、ユーザが楽曲を再生しようとしている再生日と近いほど広告再生優先順位を高く設定され、また広告の再生有効期限が短い広告ほど広告再生優先順位が高く設定される構成とすることができる。
【００７５】
さらに、ユーザが携帯電話機を用いて電子決済を行なった商品の履歴情報を携帯電話機が記憶部２１に記憶している場合には、広告と関連性の高い（例えば、履歴情報として記憶されている商品がスポーツ用品の場合は、スポーツ用品情報が記憶されている広告情報３１に記憶されている広告を優先的に再生する）構成とすることができる。このようにユーザの嗜好、商品購買履歴に基づいて、広告を再生する順番が決定される構成とすることができる。
【００７６】
［３．動作概要］
次に、図５を用いて、携帯電話機を使用して広告情報のダウンロードから電子決済までの動作概要を説明する。
【００７７】
図５（ａ）は、ユーザ３３が商品を購入しようとしているショッピングモールまたはデパート等の店舗３０において、ユーザ３３が使用している携帯電話機に広告情報をダウンロードする様子を示した図である。
【００７８】
広告情報を携帯電話機にダウンロードさせる広告情報供給装置７は店舗３０の内部または近辺に設置されている。
【００７９】
広告情報をダウンロードしたユーザは店舗３０に入る。
【００８０】
図５（ｂ）は、ユーザ３３が店舗３０内において商品３１を購入しながら、携帯電話機からイヤホン３２を介して楽曲および広告を聴いている様子を示した図である。
【００８１】
楽曲および広告は図４において説明したように携帯電話機で再生され、ユーザ３３は再生される楽曲および広告を聴く。本願では、楽曲および広告は音声情報に限られるわけではなく、映像情報が楽曲情報に含まれ、楽曲情報としての映像情報を携帯電話機（情報処理装置）の表示部としてのモニタ部２４に再生する構成とすることもできる。また、映像情報が広告情報に含まれ、広告情報としての映像情報を携帯電話機（情報処理装置）の表示部としてのモニタ部２４に再生する構成とすることもできる。また、楽曲情報としての音声情報と映像情報を同時に再生しつつ、広告情報としての音声情報と映像情報を同時に再生する構成とすることもできる。
【００８２】
図５（ｃ）は、ユーザ３３が携帯電話機を使用して、商品３１の電子決済をする様子を示した図である。
【００８３】
ユーザ３３が商品３１を購入しようと、店員３４に携帯電話機を使用して電子決済を要求する場合には、電子決済装置８の読み取り機３５に携帯電話機を近づける。すると、読み取り機３５と携帯電話機に内蔵されている非接触ＩＣ５との間で、電磁誘導によって電子決済情報が送受信される。
【００８４】
電子決済情報には、ユーザ３３の信用調査情報、ユーザ３３の口座における残額情報（電子マネーデータなど）、および携帯電話機の記憶部９に記憶されている特典情報３２が含まれる。
【００８５】
電子決済装置８は、商品３１のバーコード等の商品情報から商品３１の価格情報を認識する。価格情報は、ネットワーク５を介して電子決済サーバ４から電子決済装置８が受信する。また、電子決済装置８に設けられている電子決済記憶部（図示せず）に記憶された商品情報に対応する価格情報を参照する構成とすることもできる。
【００８６】
電子決済装置８は、価格情報と特典情報とから、ユーザ３３が商品３１に対して支払うべき価格を決定する。そして、電子決済装置８は、読み取り機３５を介して携帯電話機の非接触ＩＣ５からユーザ３３が商品３１に対して支払うべき価格を演算する（残額情報から商品に対して支払うべき価格を減算する。）。
【００８７】
［４．処理動作を示すフローチャート］
次に、図６を用いて実施形態についての処理動作を説明する。
【００８８】
ステップＳ１において、ユーザは、ユーザが所望するデジタルコンテンツ３０の一例としての楽曲情報をデジタルコンテンツ供給装置６から携帯電話機にダウンロードする。
【００８９】
ステップＳ２において、ユーザは、自宅において、またはショッピングモールやデパート等の店舗３０の内部または近辺の外部にある広告情報供給装置７から広告情報３１をダウンロードする。
【００９０】
ステップＳ３において、携帯電話機は、ステップＳ２において携帯電話機にダウンロードされた広告情報３１に優先順位を付ける。優先順位付けの詳細については前述したのでここでは省略する。
【００９１】
ステップＳ４において、携帯電話機の制御部１２は、ユーザが携帯電話機にダウンロードされた楽曲情報３０に記憶されている楽曲を再生するか否かを、操作部１０のユーザ操作によって判断する。ユーザが再生されるべき楽曲を選択した場合（ステップＳ４：Ｙｅｓ）の場合には、ステップＳ５に進む。ユーザが再生されるべき楽曲を選択していない場合（ステップＳ４：Ｎｏ）の場合には、ステップＳ９に進む。次にステップＳ５に進む。
【００９２】
ステップＳ５において、携帯電話機は、ステップＳ４において選択された楽曲を再生する。ユーザは再生される楽曲を聴く（また、楽曲情報３０に記憶された画像を視る場合もある。）。再生された楽曲の途中または終了後に、ステップＳ３において優先付けされた広告情報順に広告情報３１に記憶されている広告を再生する。再生される広告は音情報に限らず、楽曲情報３０と同様に、画像情報として再生される場合もある。
【００９３】
ステップＳ６において、ステップＳ５において再生された広告に基づき、携帯電話機の記憶部２１の特典情報を作成または更新する。
【００９４】
ステップＳ７において、携帯電話機は、ユーザが商品の電子決済をするか否かを、非接触ＩＣ１７の動作を監視しながら判断する。ユーザが商品の電子決済をする場合（ステップＳ７：Ｙｅｓ）の場合にはステップＳ８に進む。ユーザが商品の電子決済をしない場合（ステップＳ７：Ｎｏ）の場合にはステップＳ４に進む。
【００９５】
ステップＳ８において、ユーザが商品の電子決済をする場合には、前述したように携帯電話機と電子決済装置８との間で電子決済をする。
【００９６】
ステップＳ９において、ユーザが携帯電話機を用いて広告情報のダウンロードをするか否かを判断する。広告情報のダウンロードをする場合（ステップＳ９：Ｙｅｓ）の場合にはステップＳ２に進む。広告情報のダウンロードをしない場合（ステップＳ９：Ｎｏ）の場合にはステップＳ１０に進む。
【００９７】
ステップＳ１０において、ユーザが携帯電話機を用いて楽曲情報のダウンロードをするか否かを判断する。楽曲情報のダウンロードをする場合（ステップＳ１０：Ｙｅｓ）の場合にはステップＳ４に進む。楽曲情報のダウンロードをしない場合（ステップＳ１０：Ｎｏ）の場合にはステップＳ４に進む。
【００９８】
なお、図６における動作手順を、ハードディスク等の記録媒体に予め記録しておき、或いはインターネット等のネットワークを介して予め記録しておき、これを汎用のマイクロコンピュータ等により読み出して実行することにより、当該汎用のマイクロコンピュータ等を実施形態に係わるＣＰＵとして機能させることも可能である。
【００９９】
また各電子情報機器間の情報の送受信は有線、無線に限定されず、いずれの方法においても情報の送受信を行なうことができる。
【０１００】
この発明によれば、電子情報機器ユーザが広告情報を聴きまたは見ることによって、広告情報に関連した商品を購入する際の特典情報が加算記録されることになるので、ユーザに積極的に広告情報を聴こうとするモチベーションが発生することになる。
【０１０１】
またこの発明によれば、ユーザは再生頻度の高い種類の広告情報に関連した商品について特化して、その商品を購入する場合の特典情報を得られるので、効率よく広告情報を聴きまたは見ることができる。また広告情報提供者は、広告情報を広告情報に関連した商品を購入しようとするユーザに対して効率よく提供することが可能となる。
【０１０２】
またこの発明によれば、広告情報を提供する広告情報提供者は商品の販促活動に必要な期間だけに限って広告情報を提供することができるので、広告情報を効率的に情報記録再生装置のユーザに提供することができる。また、広告情報を提供する広告情報提供者にとって、ユーザに対して商品に関する広告情報に対する注目度を向上させることができる。
【０１０３】
またこの発明によれば、情報記録再生装置のユーザにとって、最新の広告情報を聴きまたは見ることによって、情報記録再生装置に記録された特典情報に基づき新製品等の商品をお得に購入することができる。また、広告情報を提供する広告情報提供者にとって、ユーザに対して商品に関する広告情報に対する注目度を一層向上させることができる。
【０１０４】
またこの発明によれば、広告情報を提供する広告情報提供者は商品の特売等のセールスなどを行なう場合に、セールス等の特定の期間に広告情報を聴きまたは見たユーザに対して特典情報を、通常の販売時期に比較してより多く加算することができる。例えば、特典情報として、割引額や割引率等の割引情報を大きくすることで、ユーザに商品の広告情報をより多く聴きまたは見ようとするインセンティブを与えることができる。
【０１０５】
またこの発明によれば、広告情報を聴きまたは見たユーザにとって、情報記録再生装置を利用して、広告情報に関連した商品を購入する場合に、商品の割引に関連するポイント情報、または、商品の金銭的な割引情報が電子決済時に使用されるので、お得な（割安な）買い物をすることができるようになる。また、広告情報を聴きまたは見たユーザにとって、情報記録再生装置を利用して、有線または無線を利用した情報通信回線において広告情報に関連した商品を購入する場合に、商品の割引に関連するポイント情報、または商品の金銭的な割引情報が電子決済時に使用されるので、お得な（割安な）買い物をすることができるようになる。
【０１０６】
またこの発明によれば、情報記録再生装置において再生される広告情報の優先順位を広告情報提供者が制御することができるので、広告情報提供者にとってユーザに対して効果的に広告情報を提供することができる。また、情報記録再生装置を所有するユーザにとっても、ユーザの嗜好に合った広告情報を優先的に聴きまたは見ることができるので、ストレスを感じることがなく、効率的に広告情報を聴きまたは見ることができる。さらに、ユーザが以前に購入した商品に関連した広告情報を、情報記録再生装置が優先的に再生するので、ユーザが関心のある広告情報を効率的に聴きまたは見ることができる。
【０１０７】
またこの発明によれば、情報記録再生装置に記録された広告情報を再生することと、電子決済手段との間に連動性があるので、ユーザや広告情報提供者にとって、広告情報の再生と提供を介して、商品の売買に双方に利益があるシステムを構成することが可能となった。
【図面の簡単な説明】
【０１０８】
【図１】本実施形態に係るシステム構成の一例を示す図である。
【図２】本実施形態に係る携帯情報端末装置のブロック図である。
【図３】本実施形態に係る特典情報のデータ構成の一例である。
【図４】本実施形態に係る楽曲および広告の再生の状況を示す一例である。
【図５】本実施形態における広告情報のダウンロードから電子決済までの動作概要を説明する図である。
【図６】本実施形態における動作を説明するフローチャートである。
【符号の説明】
【０１０９】
１ ・・・  システム
２ ・・・  デジタルコンテンツ供給サーバ装置
３ ・・・  広告情報供給サーバ装置
４ ・・・  電子決済サーバ装置
５ ・・・  ネットワーク
６ ・・・  デジタルコンテンツ報供給装置
７ ・・・  広告情報供給装置
８ ・・・  電子決済装置
９ ・・・  携帯情報端末装置
１２ ・・・  制御部
１３ ・・・  通信部
１７ ・・・  非接触ＩＣ
２１ ・・・  記憶部
３０ ・・・  デジタルコンテンツ
３１ ・・・  広告情報
３２ ・・・  特典情報
３５ ・・・  読み取り機
【図１】
2008204261.tif 000003
【図２】
2008204261.tif 000004
【図３】
2008204261.tif 000005
【図４】
2008204261.tif 000006
【図５】
2008204261.tif 000007
【図６】
2008204261.tif 000008